(57)【特許請求の範囲】
【請求項１】
梁材と柱材とによって骨組みが形成される建物ユニットを横方向に並べて、前記梁材の長手方向の相対的な位置調整を行うための位置調整装置であって、
隣接する前記建物ユニットの梁材間に配置される板状のプレート本体と、前記プレート本体の下部に間隔を置いて複数設けられるピン部と、前記梁材間の上方に突出させる前記プレート本体の上部に設けられる係留部とを有する一対の定着体と、
前記隣接する建物ユニットの梁材の側面の側面穴に、前記ピン部を挿し込むことでそれぞれ取り付けられる前記一対の定着体の前記係留部間の距離を調整する距離調整手段とを備えたことを特徴とする位置調整装置。
【請求項２】
前記プレート本体の前記ピン部を突出させる面に、第１スペーサを積層させることを特徴とする請求項１に記載の位置調整装置。
【請求項３】
前記プレート本体の前記ピン部を突出させる面の反対側の面に、第２スペーサを積層させることを特徴とする請求項１又は２に記載の位置調整装置。
【請求項４】
前記係留部は前記プレート本体に穿孔される係留穴であって、前記第２スペーサを前記係留穴の周囲に積層させることを特徴とする請求項３に記載の位置調整装置。
【請求項５】
前記係留部は前記長手方向に略直交させる係留板であるとともに貫通穴が設けられており、前記距離調整手段は、前記貫通穴に挿通させるボルトとナットとによって構成されることを特徴とする請求項１又は２に記載の位置調整装置。
【請求項６】
請求項１乃至５のいずれか一項に記載の位置調整装置を使用して建物ユニット間の相対的な位置調整を行う建物ユニットの位置調整方法であって、
前記建物ユニットを横方向に並べる工程と、
隣接する前記建物ユニットの梁材の側面に設けられた側面穴に、前記ピン部をそれぞれ挿し込むことで前記一対の定着体を取り付ける工程と、
前記一対の定着体の係留部間に前記距離調整手段を装着する工程と、
前記距離調整手段を作動させることで前記隣接する建物ユニットの梁材の長手方向の相対的な位置を調整する工程とを備えたことを特徴とする建物ユニットの位置調整方法。
【請求項７】
前記一対の定着体を取り付ける梁材は、床梁であることを特徴とする請求項６に記載の建物ユニットの位置調整方法。
【発明の詳細な説明】
【技術分野】
【０００１】
本発明は、複数の建物ユニットを横方向に並べて建物を構築する際に使用される位置調整装置及び建物ユニットの位置調整方法に関するものである。
【背景技術】
【０００２】
梁材と柱材とによって骨組みが形成される工場で製作された建物ユニットを、横方向及び縦方向に積み重ねて構築されるユニット建物が知られている（特許文献１−５など参照）。
【０００３】
建物ユニットは、クレーンによって吊り上げられて所定の位置に降ろされることになるが、隣接させる建物ユニットとの相対的な位置調整を、吊り降ろした後に行う必要がある。
【０００４】
特許文献１には、床梁の上面に設けられた穴を利用する据付調整治具が開示されている。また、特許文献２，３には、柱の上端面と天井梁の上面に設けられた穴又はピンを利用する据付け調整方法などが開示されている。
【０００５】
さらに、特許文献４には、隣接する柱間に介在させる隙間調整部が開示されている。一方、特許文献５には、梁の高さ方向の調整を行うために梁間に介在させる梁高さ位置調整治具が開示されている。
【先行技術文献】
【特許文献】
【０００６】
【特許文献１】特開平７−３１７３２４号公報
【特許文献２】特公昭５５−３２１３５号公報
【特許文献３】特開２００１−１２３５３７号公報
【特許文献４】特開２０００−１７９０５０号公報
【特許文献５】特開２００１−２７１４９４号公報
【発明の概要】
【発明が解決しようとする課題】
【０００７】
しかしながら、床梁の上面が工場において床板で覆われた後に現地に建物ユニットが搬送されてきた場合に、床梁の上面に設けられた穴を利用して位置調整を行うことができない。
【０００８】
そこで、本発明は、梁材の側面に取り付けることで梁材の長手方向の相対的な位置調整を行うことができる位置調整装置及び建物ユニットの位置調整方法を提供することを目的としている。
【課題を解決するための手段】
【０００９】
前記目的を達成するために、本発明の位置調整装置は、梁材と柱材とによって骨組みが形成される建物ユニットを横方向に並べて、前記梁材の長手方向の相対的な位置調整を行うための位置調整装置であって、隣接する前記建物ユニットの梁材間に配置される板状のプレート本体と、前記プレート本体の下部に間隔を置いて複数設けられるピン部と、前記梁材間の上方に突出させる前記プレート本体の上部に設けられる係留部とを有する一対の定着体と、前記隣接する建物ユニットの梁材の側面の側面穴に、前記ピン部を挿し込むことでそれぞれ取り付けられる前記一対の定着体の前記係留部間の距離を調整する距離調整手段とを備えたことを特徴とする。
【００１０】
ここで、前記プレート本体の前記ピン部を突出させる面に、第１スペーサを積層させることができる。また、前記プレート本体の前記ピン部を突出させる面の反対側の面に、第２スペーサを積層させることができる。
【００１１】
さらに、前記係留部は前記プレート本体に穿孔される係留穴であって、前記第２スペーサを前記係留穴の周囲に積層させる構成とすることができる。
【００１２】
また、前記係留部は前記長手方向に略直交させる係留板であるとともに貫通穴が設けられており、前記距離調整手段は、前記貫通穴に挿通させるボルトとナットとによって構成されていてもよい。
【００１３】
そして、本発明の建物ユニットの位置調整方法は、上記いずれかの位置調整装置を使用して建物ユニット間の相対的な位置調整を行う建物ユニットの位置調整方法であって、前記建物ユニットを横方向に並べる工程と、隣接する前記建物ユニットの梁材の側面に設けられた側面穴に、前記ピン部をそれぞれ挿し込むことで前記一対の定着体を取り付ける工程と、前記一対の定着体の係留部間に前記距離調整手段を装着する工程と、前記距離調整手段を作動させることで前記隣接する建物ユニットの梁材の長手方向の相対的な位置を調整する工程とを備えたことを特徴とする。ここで、前記一対の定着体を取り付ける梁材は、床梁とすることができる。
【発明の効果】
【００１４】
このように構成された本発明の位置調整装置及び建物ユニットの位置調整方法は、隣接する建物ユニットの梁材の側面の側面穴にピン部を挿し込むことで、一対の定着体がそれぞれ取り付けられる。そして、一対の定着体の係留部間の距離を、距離調整手段で調整する。
【００１５】
このように梁材の側面に取り付ける定着体を利用する構成であれば、床板などによって梁材の上面が覆われていても、梁材の長手方向の相対的な位置調整を行うことができる。
【００１６】
また、複数のピン部を介して梁材に定着体を取り付けるようにすることで、位置調整時に梁材に作用する荷重を分散させることができ、梁材の損傷を防ぐことができる。
【００１７】
さらに、プレート本体のピン部を突出させる面に第１スペーサを積層させることで、床板などが出っ張っていても梁材の側面に定着体を密着させられるようになってピン部を外れにくくすることができる。
【００１８】
また、プレート本体のピン部を突出させる面の反対側の面に第２スペーサを積層させることで、ピン部の反対側にプレート本体が倒れるのが阻止されて、定着体を外れにくくすることができる。
【００１９】
さらに、プレート本体に穿孔される係留穴の周囲に第２スペーサを積層させることで、係留穴の周囲を補強をすることができる。この結果、プレート本体の板厚を薄くすることができる。
【００２０】
また、プレート本体から側方に突出させる係留板に貫通穴を設けることで、貫通穴に挿通させるボルトとナットとによって距離調整手段を構成することができる。
【図面の簡単な説明】
【００２１】
【図１】本実施の形態の位置調整装置の構成を説明するための斜視図である。
【図２】建物ユニットの構成を説明する斜視図である。
【図３】定着体の構成を説明する断面図である。
【図４】定着体の構成を説明する正面図である。
【図５】床梁の側面に定着体が取り付けられた状態を説明する断面図である。
【図６】床梁間に一対の定着体が配置された状態を説明する平面図である。
【図７】実施例の位置調整装置の構成を説明するための斜視図である。
【発明を実施するための形態】
【００２２】
以下、本発明の実施の形態について図面を参照して説明する。図１は、本実施の形態の位置調整装置２の構成を説明するための斜視図、図２はこの位置調整装置２によって相対的な位置調整が行われる建物ユニット１の構成を説明する斜視図である。
【００２３】
この建物ユニット１によって構成されるユニット建物は、工場で製作される複数の建物ユニット１，・・・を建築現場に搬送し、基礎（図示省略）の上に横方向に並べて１階部を構築するとともに、それらの（下階）建物ユニット１，・・・の上に別の（上階）建物ユニット１，・・・を積み上げることで上層階を構築していく。
【００２４】
建物ユニット１は、図２に示すように、四隅に配置される柱材としての柱１１，・・・と、その柱１１，・・・の下端間に差し渡される梁材としての床梁１２，１２Ａ，・・・と、柱１１，・・・の上端間に架け渡される梁材としての天井梁１３，１３Ａ，・・・とによってボックス形のラーメン構造体（骨組構造体）に形成される。
【００２５】
ここで、柱１１は角形鋼管、床梁１２，１２Ａ及び天井梁１３，１３Ａは断面視コ字形の溝形鋼材によって形成されている。例えば、図１に示すように、床梁１２の上面は上フランジ１２１によって形成され、下面は上フランジ１２１と略平行な下フランジ１２２によって形成され、側面は上フランジ１２１と下フランジ１２２の側縁間を繋ぐウェブ１２３によって形成される。
【００２６】
また、柱１１と床梁１２（１２Ａ）及び天井梁１３（１３Ａ）は、接合枠材１４（１４Ａ）を介して溶接接合される。この接合枠材１４，１４Ａは、「ジョイントピース」ともいう。
【００２７】
さらに、図２に示すように、天井梁１３，１３間には平行に天井根太１６，・・・が架け渡され、天井根太１６，・・・の下面には天井板１８が張り付けられる。また、床梁１２，１２間には、平行に床小梁１５，・・・が差し渡され、床小梁１５，・・・の上面には床板１７が張り付けられる。ここで、床小梁１５は、取付金具１５ａを介して床梁１２に固定される。
【００２８】
そして、床梁１２の側面には、図１，２に示すように、柱１１の近辺に複数の側面穴１２４Ａ，１２４Ａ，１２４Ｂ，１２４Ｂが穿孔される。ここで、床梁１２のみの箇所に設けられる穴を側面穴１２４Ａとし、接合枠材１４を貫通して床梁１２に設けられる穴を側面穴１２４Ｂとする。
【００２９】
そして、本実施の形態では、このような建物ユニット１，１を横方向に並べたときに生じる隙間Ｓに配置される位置調整装置２、及びそれを利用して行われる建物ユニット１，１の位置調整方法について説明する。
【００３０】
隣接する建物ユニット１，１間には、図１に示すように床梁１２，１２間に10mm〜20mm程度の隙間Ｓが発生する。位置調整装置２は、この隙間Ｓに配置される一対の定着体３Ａ，３Ｂと、定着体３Ａ，３Ｂ間の距離を調整する距離調整手段とによって主に構成される。
【００３１】
定着体３Ａ（３Ｂ）は、隣接する建物ユニット１，１の床梁１２，１２間に配置される板状のプレート本体３１と、プレート本体３１の下部に間隔を置いて複数設けられるピン部３２，３２と、床梁１２，１２間の上方に突出させるプレート本体３１の上部に設けられる係留部としての係留穴３３，３３とによって主に構成される。
【００３２】
一対の定着体３Ａ，３Ｂの構成は、ほぼ同じになるので、以下の説明ではいずれかの符号を代表して使用する場合がある。この定着体３Ａのプレート本体３１は、図１，３，４に示すように、長方形の鋼板等によって成形される。このプレート本体３１の板厚は、例えば4mm〜6mm程度とすることができる。
【００３３】
プレート本体３１の下部には、ピン部３２，３２を装着するためのピン穴３２１，３２１が穿孔される。ピン部３２，３２は、床梁１２の長手方向に間隔を置いて設けられるため、ピン穴３２１，３２１もそれに合わせて設けられる。
【００３４】
一方、プレート本体３１の上部には、床梁１２の長手方向に間隔を置いて係留穴３３，３３が設けられる。ここでは、左右の係留穴３３，３３の高さ方向の位置を少しずらしている。
【００３５】
係留穴３３には、距離調整手段によって床梁１２の長手方向であるプレート本体３１の幅方向に力が作用することになるため、幅方向に並ぶ係留穴３３，３３の高さをずらすことによって剛性の低下を抑えることができる。
【００３６】
ピン穴３２１に端部が挿入されるピン部３２は、プレート本体３１の板厚よりも長い円柱状に形成される。ピン部３２の長さを隙間Ｓの間隔より短くしておくことで、上方から隙間Ｓに定着体３Ａ，３Ｂの下部を挿し込むことができるようになる。
【００３７】
プレート本体３１のピン部３２，３２を突出させる面には、第１スペーサ５Ａ（５Ｂ）を積層させる。第１スペーサ５Ａは、プレート本体３１と同じ幅の長方形の鋼板等によって成形することができる。
【００３８】
また、第１スペーサ５Ａの板厚は、プレート本体３１からピン部３２を突出させる長さと、床梁１２の側面穴１２４Ａに挿し込む量とによって調節することができる。
【００３９】
第１スペーサ５Ａのピン部３２を通すための挿通穴５１は、ピン部３２の直径よりも一回り大きな内径にしておくことができる。この第１スペーサ５Ａは、溶接によってプレート本体３１に接合される。
【００４０】
一方、プレート本体３１のピン部３２，３２を突出させる面の反対側の面には、第２スペーサ６１Ａ，６２Ａを積層させる。ここで、低い位置の係留穴３３の周囲に積層されるものを第２スペーサ６１Ａとし、高い位置の係留穴３３の周囲に積層されるものを第２スペーサ６２Ａとする。
【００４１】
この第２スペーサ６１Ａ，６２Ａには、係留穴３３，３３と同じ大きさの穴部６１１，６２１がそれぞれ穿孔される。そこで、係留穴３３，３３の位置に穴部６１１，６２１の位置を合わせて、溶接によって第２スペーサ６１Ａ，６２Ａをプレート本体３１にそれぞれ接合させる。
【００４２】
本実施の形態では、距離調整手段としてレバーブロック（登録商標）を使用する。レバーブロック４は、図１に示すように、両端のフック部４１Ａ，４１Ｂと、フック部４１Ａ，４１Ｂ間を繋ぐチェーン部４２と、チェーン部４２の有効長さを調整するレバー部４３とによって主に構成される。
【００４３】
このフック部４１Ａ，４１Ｂは、定着体３Ａ，３Ｂの係留穴３３，３３にそれぞれ引っ掛けられる。この状態でレバー部４３を操作するとフック部４１Ａ，４１Ｂ間のチェーン部４２の長さ（有効長さ）が変化し、定着体３Ａ，３Ｂ間の距離が調整される。
【００４４】
次に、本実施の形態の位置調整装置２を使った建物ユニット１，１の位置調整方法について説明するとともに、その作用について説明する。
【００４５】
図１は、隙間Ｓを挟んで隣接して設置された建物ユニット１，１の位置が、床梁１２の長手方向に相対的にずれている状態を、説明のために強調して図示している。
【００４６】
この床梁１２の長手方向の相対的なずれを修正するために、本実施の形態の位置調整装置２を設置する。まず、図１の奥側の床梁１２に対して、隙間Ｓの上方から定着体３Ａを取り付ける。
【００４７】
この床梁１２には、長手方向に間隔を置いて側面穴１２４Ａ，１２４Ａが穿孔されているので、その側面穴１２４Ａ，１２４Ａに対して、第１スペーサ５Ａから突出したピン部３２，３２の先端を挿し込む。
【００４８】
図５は、定着体３Ａを左側の床梁１２の側面に取り付けた状態を示した断面図である。この図では、側面穴１２４Ａにピン部３２が挿し込まれている状態を強調するためにピン部３２の先端をウェブ１２３から突出させているが、必ずしもピン部３２を突出させる必要はない。
【００４９】
図５に示すように、工場で床梁１２に取り付けられる床板１７には取付誤差があり、隙間Ｓ上方に端縁が突出している場合がある（左側の床板１７参照）。このような場合でも、第１スペーサ５Ａが積層された定着体３Ａであれば床梁１２の側面に密着させることができる。
【００５０】
一方、プレート本体３１の背面側の上部には、第２スペーサ６１Ａ（６２Ａ）が積層されており、プレート本体３１の上部が背面側（図の右側）の建物ユニット１側に傾くと、第２スペーサ６１Ａ（６２Ａ）が床板１７の端縁に接触してそれ以上の傾きが阻止される。
【００５１】
この場合においても、床板１７の取付誤差によって端縁が隙間Ｓから離れていても、第２スペーサ６１Ａ（６２Ａ）を厚くすることによって床板１７に接触させることができる。
【００５２】
一方、図１の手前側の床梁１２に対しては、隙間Ｓの上方から定着体３Ｂを取り付ける。すなわち、長手方向に間隔を置いて穿孔された側面穴１２４Ｂ，１２４Ｂに対して、第１スペーサ５Ｂから突出したピン部３２，３２の先端を挿し込む。
【００５３】
ここで、図６の平面図に示すように、それぞれの床梁１２，１２に取り付けられる定着体３Ａ，３Ｂのプレート本体３１，３１の中心Ｃを一致させることができる。
【００５４】
すなわち、定着体３Ａ，３Ｂ間で第１スペーサ５Ａ，５Ｂや第２スペーサ６１Ａ，６１Ｂ及び第２スペーサ６２Ａ，６２Ｂの板厚を変えておくことで、隙間Ｓの中央以外の位置でもプレート本体３１，３１を直線状に並べることができる。
【００５５】
このようにして隙間Ｓを挟んで対向する床梁１２，１２の側面にそれぞれ取り付けられた定着体３Ａ，３Ｂに対して、レバーブロック４を取り付ける。レバーブロック４のフック部４１Ａは、定着体３Ａのいずれの係留穴３３，３３に引っ掛けてもよい。
【００５６】
また、レバーブロック４のフック部４１Ｂも、定着体３Ｂのいずれの係留穴３３，３３に引っ掛けてもよい。そして、フック部４１Ａ，４１Ｂを係留穴３３，３３に引っ掛けた状態で、レバー部４３を操作してフック部４１Ａ，４１Ｂ間の距離を縮める。
【００５７】
このとき、定着体３Ａ，３Ｂ間の距離も縮まることになって、これに伴って建物ユニット１，１間の床梁１２の長手方向の相対的な距離も縮まることになる。
【００５８】
このように構成された本実施の形態の位置調整装置２及び建物ユニット１，１の位置調整方法は、隣接する建物ユニット１，１の床梁１２，１２の側面の側面穴１２４Ａ，１２４Ａ（１２４Ｂ，１２４Ｂ）にピン部３２，３２を挿し込むことで、一対の定着体３Ａ，３Ｂがそれぞれ取り付けられる。そして、一対の定着体３Ａ，３Ｂの係留穴３３，３３間の距離を距離調整手段となるレバーブロック４で調整する。
【００５９】
このように床梁１２，１２の側面に取り付ける定着体３Ａ，３Ｂを利用する構成であれば、床板１７によって床梁１２の上面（上フランジ１２１）が覆われていても、床梁１２，１２の長手方向の相対的な位置調整を行うことができる。
【００６０】
また、複数のピン部３２，３２を介して床梁１２に定着体３Ａ（３Ｂ）を取り付けるようにすることで、位置調整時にフック部４１Ａ（４１Ｂ）からプレート本体３１を介してピン部３２，３２に伝達された力が、床梁１２に作用する荷重として分散させることができ、床梁１２の損傷を防ぐことができる。
【００６１】
さらに、プレート本体３１のピン部３２，３２を突出させる面に第１スペーサ５Ａ（５Ｂ）を積層させることで、床板１７に取付誤差があっても床梁１２の側面に定着体３Ａ（３Ｂ）を密着させられるようになって、ピン部３２，３２を側面穴１２４Ａ，１２４Ａ（１２４Ｂ，１２４Ｂ）から外れにくくすることができる。
【００６２】
また、プレート本体３１のピン部３２，３２を突出させる面の反対側の面に第２スペーサ６１Ａ，６２Ａ（６１Ｂ，６２Ｂ）を積層させることで、第２スペーサ６１Ａ，６２Ａ（６１Ｂ，６２Ｂ）が床板１７に接触してピン部３２，３２の反対側にプレート本体３１が倒れるのが阻止されて、定着体３Ａ（３Ｂ）を外れにくくすることができる。
【００６３】
さらに、プレート本体３１に穿孔される係留穴３３，３３の周囲に第２スペーサ６１Ａ，６２Ａ（６１Ｂ，６２Ｂ）を積層させることで、係留穴３３，３３の周囲を補強をすることができる。
【００６４】
この結果、係留穴３３，３３の周囲にフック部４１Ａ，４１Ｂから作用する力に対して抵抗できるようになるので、プレート本体３１の板厚を薄くすることができる。
【実施例】
【００６５】
以下、前記した実施の形態とは別の形態の実施例の位置調整装置２Ａについて、図７を参照しながら説明する。なお、前記実施の形態で説明した内容と同一乃至均等な部分の説明については、同一用語又は同一符号を付して説明する。
【００６６】
本実施例の位置調整装置２Ａの構成は、前記実施の形態で説明した位置調整装置２と係留部及び位置調整手段の構成が異なっている。それ以外の構成については同じであるため、詳細な説明は省略する。
【００６７】
本実施例の位置調整装置２Ａは、隙間Ｓに配置される一対の定着体３Ｃ，３Ｄと、定着体３Ｃ，３Ｄ間の距離を調整する距離調整手段とによって主に構成される。
【００６８】
この定着体３Ｃ（３Ｄ）においても、プレート本体３１の下部のピン部３２，３２を突出させる面に第１スペーサ５Ｃ（５Ｄ）を積層させる。一方、プレート本体３１の上部には、係留部としての係留板７を設ける。
【００６９】
この係留板７は、プレート本体３１の床梁１２のウェブ１２３に対向させる面に略直交させ、かつ床梁１２の長手方向（隙間Ｓの延伸方向）にも略直交させる。
【００７０】
プレート本体３１に端面が溶接によって接合される係留板７の側面には、貫通穴７１が穿孔される。この定着体３Ｃ，３Ｄにそれぞれ設けられる係留板７，７の貫通穴７１，７１を利用して、距離調整手段としてのボルトナット８が装着される。
【００７１】
このボルトナット８は、貫通穴７１，７１に両端がそれぞれ挿通される１本のボルト８１と、ボルト８１に装着される複数のナット８２，・・・とによって主に構成される。
【００７２】
ナット８２，８２は、係留板７を挟んで両側に装着される。そして、定着体３Ｃ，３Ｄの係留板７，７間の距離を調整する場合は、ナット８２をねじ込むことによって調整することができる。
【００７３】
このように、床梁１２の長手方向に略直交される係留板７の側面に貫通穴７１を設けることで、貫通穴７１に挿通させるボルト８１とナット８２，・・・という簡単な部品によって距離調整手段を構成することができる。
【００７４】
なお、他の構成及び作用効果については、前記実施の形態と略同様であるので説明を省略する。
【００７５】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００７６】
例えば、前記実施の形態及び実施例では、建物ユニット１の桁方向の床梁１２の側面を利用して位置調整する場合について説明したが、これに限定されるものではなく、妻方向の床梁１２Ａの側面や天井梁１３，１３Ａの側面を利用して位置調整装置２，２Ａを使用した位置調整を行うこともできる。
【００７７】
また、前記実施の形態及び実施例では、１枚のプレート本体３１に対して床梁１２の長手方向に間隔を置いて２箇所にピン部３２，３２を設ける場合について説明したが、これに限定されるものではなく、１枚のプレート本体に対して３箇所以上にピン部を設けることもできる。
【符号の説明】
【００７８】
１              建物ユニット
１１            柱（柱材）
１２            床梁（梁材）
１２４Ａ，１２４Ｂ  側面穴
２              位置調整装置
３Ａ，３Ｂ      定着体
３１            プレート本体
３２            ピン部
３３            係留穴（係留部）
４              レバーブロック（距離調整手段）
５Ａ，５Ｂ      第１スペーサ
６１Ａ，６１Ｂ  第２スペーサ
６２Ａ，６２Ｂ  第２スペーサ
２Ａ            位置調整装置
３Ｃ，３Ｄ      定着体
５Ｃ，５Ｄ      第１スペーサ
７              係留板（係留部）
７１            貫通穴
８              ボルトナット（距離調整手段）
８１            ボルト
８２            ナット
【図１】
0006480772.tif 000002
【図２】
0006480772.tif 000003
【図３】
0006480772.tif 000004
【図４】
0006480772.tif 000005
【図５】
0006480772.tif 000006
【図６】
0006480772.tif 000007
【図７】
0006480772.tif 000008